(57)【要約】【課題】端子保持力を高めることが可能なジョイントコネクタを提供する。【解決手段】複数の端子部１２を有するジョイント端子１０がコネクタハウジング２０に保持され、コネクタハウジング２０には、ジョイント端子１０に接続可能な相手側端子金具４０が挿入されるキャビティ２１と、キャビティ２１に挿入された相手側端子金具４０に係止してこの相手側端子金具４０を抜け止めするランス２２とが設けられ、コネクタハウジング２０は、複数が積層可能とされ、コネクタハウジング２０には、重ねられた他のコネクタハウジング２０のキャビティ２１に突出可能な係止突起２５が設けられるとともに、他のコネクタハウジング２０には、係止突起２５をキャビティ２１に貫通させる貫通穴２６が形成され、コネクタハウジング２０が積層されると、係止突起２５が貫通穴２６からキャビティ２１に突出して相手側端子金具４０に係止する。【選択図】図８
2013093226.tif 000002
【特許請求の範囲】
【請求項１】
複数の端子部を有するジョイント端子がコネクタハウジングに保持され、
前記コネクタハウジングには、前記ジョイント端子に接続可能な相手側端子金具が挿入されるキャビティと、前記キャビティに挿入された前記相手側端子金具に係止してこの相手側端子金具を抜け止めするランスとが設けられ、
前記コネクタハウジングは、複数が積層可能とされ、
前記コネクタハウジングには、重ねられた他のコネクタハウジングの前記キャビティに突出可能な係止突起が設けられるとともに、前記他のコネクタハウジングには、前記係止突起を前記キャビティに貫通させる貫通穴が形成され、
前記コネクタハウジングが積層されると、前記係止突起が前記貫通穴から前記キャビティに突出して前記相手側端子金具に係止し、この相手側端子金具を抜け止めするジョイントコネクタ。
【請求項２】
前記コネクタハウジングに積層可能なカバーを備え、
前記カバーは、前記係止突起と、ワイヤハーネス以外の部品に取り付け可能な取付部とを有している請求項１に記載のジョイントコネクタ。
【発明の詳細な説明】
【技術分野】
【０００１】
本発明は、ジョイントコネクタに関する。
【背景技術】
【０００２】
従来、複数の端子部を有するジョイント端子が、コネクタハウジングに保持されてなるジョイントコネクタが知られている（例えば下記特許文献１に記載）。このジョイントコネクタのコネクタハウジングには、ジョイント端子に接続可能な相手側の端子金具が挿入されるキャビティと、キャビティに挿入された相手側の端子金具に係止して、この端子金具を抜け止めするランスとが設けられている。相手側の端子金具は、ワイヤハーネスから引き出された電線の端末に固着されており、この種のジョイントコネクタは、一般に、ワイヤハーネスの幹線にテープにより巻き付けられて固定される。
【先行技術文献】
【特許文献】
【０００３】
【特許文献１】特開２０１０−６７４８３号公報
【発明の概要】
【発明が解決しようとする課題】
【０００４】
ところで、上記のようなジョイントコネクタでは、相手側の端子金具にランスが係止することのみにより、この端子金具の抜け止めがなされている。このため、例えばランスに加えてリテーナ等が端子金具に二重係止するタイプのコネクタに比して、端子保持力が低いという問題があった。
【０００５】
本発明は上記のような事情に基づいて完成されたものであって、端子保持力を高めることが可能なジョイントコネクタを提供することを目的とする。
【課題を解決するための手段】
【０００６】
本発明のジョイントコネクタは、複数の端子部を有するジョイント端子がコネクタハウジングに保持され、前記コネクタハウジングには、前記ジョイント端子に接続可能な相手側端子金具が挿入されるキャビティと、前記キャビティに挿入された前記相手側端子金具に係止してこの相手側端子金具を抜け止めするランスとが設けられ、前記コネクタハウジングは、複数が積層可能とされ、前記コネクタハウジングには、重ねられた他のコネクタハウジングの前記キャビティに突出可能な係止突起が設けられるとともに、前記他のコネクタハウジングには、前記係止突起を前記キャビティに貫通させる貫通穴が形成され、前記コネクタハウジングが積層されると、前記係止突起が前記貫通穴から前記キャビティに突出して前記相手側端子金具に係止し、この相手側端子金具を抜け止めするものである。
このような構成によれば、相手側端子金具は、ランスと係止突起とによって二重係止されるから、ジョイントコネクタの端子保持力を高めることができる。
【０００７】
また、前記コネクタハウジングに積層可能なカバーを備え、前記カバーは、前記係止突起と、ワイヤハーネス以外の部品に取り付け可能な取付部とを有しているものとしてもよい。このような構成によれば、コネクタハウジングにカバーを積層することにより、相手側端子金具を二重係止することができ、またコネクタハウジングをワイヤハーネス以外の部品に取り付けることができる。したがって、複数のコネクタハウジングを積層することでその高さ寸法が増し、ワイヤハーネスへの巻き付け固定が困難な場合に有利である。
【発明の効果】
【０００８】
本発明によれば、端子保持力を高めることが可能なジョイントコネクタを提供することができる。
【図面の簡単な説明】
【０００９】
【図１】本実施形態におけるジョイントコネクタであって、積層する前の状態を示す斜視図
【図２】ジョイントコネクタの正面図
【図３】ジョイントコネクタの平面図
【図４】ジョイントコネクタの底面図
【図５】ジョイントコネクタの断面図
【図６】ジョイントコネクタとカバーとが積層された状態を示す斜視図
【図７】ジョイントコネクタとカバーとが積層された状態を示す正面図
【図８】ジョイントコネクタとカバーとが積層された状態を示す断面図であって、図７のＡ−Ａ位置における断面に相当する断面図
【図９】他の実施形態（７）におけるジョイントコネクタとカバーとが積層された状態を示す斜視図
【図１０】他の実施形態（８）におけるジョイントコネクタとダミーコネクタとが積層された状態を示す斜視図
【発明を実施するための形態】
【００１０】
以下、本発明を具体化した本実施形態について、図１〜図８を参照しつつ詳細に説明する。
本実施形態におけるジョイントコネクタＣは、複数の端子部１２を有するジョイント端子１０が、コネクタハウジング２０に保持されたものである。このジョイントコネクタＣには、図示しないワイヤハーネスの幹線から引き出された電線Ｗが接続される。以下、各構成部材において、図１の上側を上方、下側を下方、左手前側を前方、右奥側を後方として説明する。
【００１１】
コネクタハウジング２０は合成樹脂製であって、全体として偏平な箱形をなしている。コネクタハウジング２０には、ジョイント端子１０に接続可能な相手側端子金具（以後、単に端子金具４０と称する）が挿入されるキャビティ２１が、複数（本実施形態では１０室）設けられている。キャビティ２１は、端子金具４０の接続部４１よりも一回り大きい略長方形断面をなし、図５に示すように、前後方向に細長い形状とされ、後方から端子金具４０が挿入可能とされている。複数のキャビティ２１は、コネクタハウジング２０の幅方向に一列に並んで配されている。
【００１２】
コネクタハウジング２０には、キャビティ２１に挿入された端子金具４０に係止してこの端子金具４０を抜け止めするランス２２が設けられている。ランス２２は、コネクタハウジング２０の外壁のうちキャビティ２１よりも上側に配される上壁部２０Ａに、スリット２３を入れることで形成されている。ランス２２は、キャビティ２１と同数が、コネクタハウジング２０の幅方向に並んで形成されている（図３参照）。
【００１３】
ランス２２は、前方へ向かって片持ち状に延出する形態をなし、コネクタハウジング２０の内外方向（上下方向）に弾性撓み可能とされている（図５参照）。各ランス２２の前端部（自由端部）には、キャビティ２１内へ突出して端子金具４０に係止する係止部２２Ａが設けられている。ランス２２が自然状態にあるときには、その全体がコネクタハウジング２０の上壁部２０Ａから上側に突出しないで配され、ランス２２の外面とコネクタハウジング２０の外面とが平坦な面を構成する。
【００１４】
コネクタハウジング２０の前端部には、ジョイント端子１０が装着される端子装着部２４が設けられている（図５参照）。端子装着部２４は、ジョイント端子１０の板厚寸法と同等の高さ寸法を有して、キャビティ２１の前方に設けられた空間であり、前方からジョイント端子１０が装着可能とされている。端子装着部２４には、ジョイント端子１０に係合してジョイント端子１０の抜け止めを図る抜け止め突起（図示せず）が設けられている。
【００１５】
端子金具４０は、導電性を有する金属板材から形成され、全体として前後方向に細長い形状をなす雌型のものである（図８参照）。端子金具４０の前側には、ジョイント端子１０と接続される接続部４１が設けられ、後側には、ワイヤハーネスを構成する電線Ｗの端末部をかしめ付けるバレル部４２が設けられている。
【００１６】
接続部４１は、前後方向に開放された角筒状をなし、ジョイント端子１０の端子部１２が前方から挿入されて電気的に接続するものとされている。また、接続部４１には、ランス２２の係止部２２Ａと係止可能な被係止部４３が突設されている。被係止部４３は、接続部４１の前端寄りの位置に設けられ、その後側に係止部２２Ａが係止する。
【００１７】
ジョイント端子１０は、導電性の金属板材をプレス加工することにより製造されるものであり、図１に示すように、帯状基部１１から互いに所定の間隔を空けて複数本（キャビティ２１と同数の１０本）の端子部１２が突出した形状とされている。
【００１８】
ジョイント端子１０の帯状基部１１には、プレス加工時に金属板材を送り出すための送り孔１３が、所定ピッチで並んで設けられている。送り孔１３は、帯状基部１１のうち端子部１２の間に位置し、略方形をなして帯状基部１１を板厚方向に貫通している。この送り孔１３に、コネクタハウジング２０の端子装着部２４に設けられた抜け止め突起が係合する。ジョイント端子１０がコネクタハウジング２０の端子装着部２４に装着された状態では、各端子部１２が、各キャビティ２１内に突出した状態になる。
【００１９】
さて、コネクタハウジング２０は、複数が積層可能とされている。
各コネクタハウジング２０には、重ねられた他のコネクタハウジング２０のキャビティ２１に突出可能な係止突起２５と、重ねられた他のコネクタハウジング２０に設けられた係止突起２５を、キャビティ２１に貫通させる貫通穴２６とが形成されている（図５および図８参照）。
【００２０】
貫通穴２６は、図３に示すように、コネクタハウジング２０の上壁部２０Ａに貫通形成されている。貫通穴２６は、ランス２２の後側に設けられ、コネクタハウジング２０の幅方向に細長い略長方形をなして開口している。貫通穴２６は、図５に示すように、キャビティ２１の間を仕切る隔壁２１Ａを切り欠いて形成され、全てのキャビティ２１にまたがっている。
【００２１】
貫通穴２６は、図５に示すように、断面略台形状をなし、下方へ向かって前後方向の開口寸法が狭くされている。貫通穴２６の前側面２６Ａは、コネクタハウジング２０の上面に対して略垂直に切り立った面とされ、貫通穴２６の後側面２６Ｂは、下方へ向かって前側面２６Ａに接近する向きで傾斜した傾斜面とされている。
【００２２】
係止突起２５は、図５に示すように、コネクタハウジング２０の下面に突設されている。係止突起２５は、貫通穴２６の形状に整合する断面略台形状とされている。係止突起２５の前端面２５Ａは、コネクタハウジング２０の下面に対して切り立った面（端子金具４０の挿抜方向に対して垂直な面）とされ、係止突起２５の後端面２５Ｂは、貫通穴２６の後側面２６Ｂに沿う傾斜面とされている。係止突起２５は、図２および図４に示すように、コネクタハウジング２０の幅方向に長い壁状とされ、コネクタハウジング２０に収容される全ての端子金具４０に一括して係止可能とされている。
【００２３】
複数のジョイントコネクタＣが上下方向に積層されると、図８に示すように、上側のコネクタハウジング２０の係止突起２５が、下側のコネクタハウジング２０の貫通穴２６からキャビティ２１に突出する。このとき、上側のコネクタハウジング２０の係止突起２５の半分以上が、下側のコネクタハウジング２０のキャビティ２１に突出し、その前端面２５Ａが端子金具４０の接続部４１の後側に近接して配される。これにより、端子金具４０の抜け止めがなされる。
【００２４】
コネクタハウジング２０には、積層された複数のコネクタハウジング２０を前後方向に位置決めする位置決め部２７が設けられている。この位置決め部２７は、図１に示すように、コネクタハウジング２０の下面に突設された位置決め凸部２７Ａと、コネクタハウジング２０の上面に凹設された位置決め凹部２７Ｂとを有している。
【００２５】
位置決め凹部２７Ｂは、図３に示すように、貫通穴２６の両側に設けられ、前後方向に細長い長方形状をなして上方に開口している。
位置決め凸部２７Ａは、図４に示すように、位置決め凹部２７Ｂに嵌合可能な、前後方向に長い略長方形の壁状とされている。位置決め凸部２７Ａは、係止突起２５の両側に並んで設けられ、コネクタハウジング２０の下面からの突出寸法は、係止突起２５の突出寸法と同等とされている（図２参照）。
【００２６】
複数のコネクタハウジング２０が上下方向に積層されると、上側のコネクタハウジング２０の位置決め凸部２７Ａが、下側のコネクタハウジング２０の位置決め凹部２７Ｂに挿入される。そして、位置決め凸部２７Ａの前後両端が、位置決め凹部２７Ｂの前後両端に近接、もしくは接触して配置され、これにより、積層された複数のコネクタハウジング２０の前後方向の位置決めがなされる。
【００２７】
コネクタハウジング２０には、複数のコネクタハウジング２０を、積層状態にロックするロック部２８が設けられている。このロック部２８は、図１に示すように、コネクタハウジング２０の上面に設けられたロック凸部２８Ａと、コネクタハウジング２０の側面に設けられたロック凹部２８Ｂとからなる。
【００２８】
ロック凸部２８Ａは、コネクタハウジング２０の上面に立ち上げられている。ロック凸部２８Ａは、図３に示すように、コネクタハウジング２０の前端部および後端部（位置決め凹部２７Ｂの前側および後側）に一対ずつが設けられている。ロック凸部２８Ａは、図１に示すように、コネクタハウジング２０の幅方向の両端縁に沿って形成された壁状突部２９と、その突出端に形成された爪部３１とを有している。爪部３１は、図２に示すように、コネクタハウジング２０の幅方向の中央側に突出し、その下面は、コネクタハウジング２０の上面と略平行をなしている。なお、爪部３１の上面は、先端に向かって下側に傾斜している。
【００２９】
ロック凹部２８Ｂは、図２に示すように、コネクタハウジング２０の外壁のうち並列するキャビティ２１の両外側に配される側壁部２０Ｂに設けられている。ロック凹部２８Ｂは、図４に示すように、ロック凸部２８Ａに対応するコネクタハウジング２０の前端部および後端部（位置決め凸部２７Ａの前側および後側）に一対ずつが設けられている。ロック凹部２８Ｂは、図２および図７に示すように、ロック凸部２８Ａの爪部３１が嵌合する爪嵌合部３２と、壁状突部２９が嵌合する壁嵌合部３３とを有している。ロック凹部２８Ｂは側壁部２０Ｂに凹設され、爪嵌合部３２および壁嵌合部３３はいずれも側方に開放された溝状をなしている。なお、爪嵌合部３２の深さ寸法は、壁嵌合部３３の深さ寸法よりも大きくされている。
【００３０】
複数のコネクタハウジング２０が上下方向に積層されると、図７に示すように、下側のコネクタハウジング２０のロック凸部２８Ａが、上側のコネクタハウジング２０のロック凹部２８Ｂに嵌合する。そして、爪部３１の下面が爪嵌合部３２の下面に近接、もしくは接触して配置され、これにより、積層されたコネクタハウジング２０が上下方向に離間することなく積層状態に保持される。この積層状態では、上側のコネクタハウジング２０の下面と、下側のコネクタハウジング２０の上面とが面接触している。また、上下のコネクタハウジング２０のロック凸部２８Ａが上下方向に連なって配され、複数のジョイントコネクタＣが積層されてなる合体コネクタＵの両側面は略平坦な面となる。
【００３１】
ジョイントコネクタＣは、コネクタハウジング２０に積層可能なカバー５０を備えている。
カバー５０は合成樹脂製であって、コネクタハウジング２０の上側に積層されるものである。カバー５０は、コネクタハウジング２０の上面の略全体を覆う蓋体５１と、下側に配されるコネクタハウジング２０のキャビティ２１に突出可能な係止突起５２とを備えている（図８参照）。蓋体５１は、コネクタハウジング２０の平面形状に整合する平面視略長方形の板状とされている（図１参照）。また、カバー５０の係止突起５２（図８参照）は、コネクタハウジング２０の係止突起２５と同様の構成を有して蓋体５１の下面に突設されている。
【００３２】
カバー５０は、図１に示すように、下側に配されるコネクタハウジング２０の位置決め凹部２７Ｂに嵌合可能な位置決め凸部５３を有している。位置決め凸部５３は、コネクタハウジング２０の位置決め凸部２７Ａと同様の構成を有して、蓋体５１の下面に突設されている。
【００３３】
また、カバー５０は、下側に配されるコネクタハウジング２０のロック凸部２８Ａが嵌合可能なロック凹部５４を有している。ロック凹部５４は、コネクタハウジング２０のロック凹部２８Ｂと同様の構成を有して、蓋体５１の側面に凹設されている。
【００３４】
そして、カバー５０は、ワイヤハーネス以外の部品等、例えば車体の壁面や合成樹脂製のプロテクタ等に取り付け可能な取付部５５を有している。取付部５５は、部品等に設けられたブラケット（図示せず）に取り付け可能とされている。ブラケットは、部品等の壁面から略垂直に突出した後、部品等の壁面に略平行な方向に屈曲した形状とされ、その先端部に、取付部５５が係合可能な孔部が形成されたものである。
【００３５】
取付部５５は、ブラケットを差し入れることが可能な差入部５６を有している。差入部５６は、ブラケットの一面側に沿う押え部５７を有し、押え部５７は、前方に突出する突出片５８を有している。突出片５８の先端部には、ブラケットの孔部に嵌合する突起部５９が、蓋体５１側に突出して設けられている。
【００３６】
次に、複数のジョイントコネクタＣを積層して固定する作業について説明する。なお、本実施形態では、２つのコネクタハウジング２０を積層する場合について説明する。
まず、各ジョイントコネクタＣのコネクタハウジング２０に、電線Ｗの端末部に固着された端子金具４０を挿入する。この際、ランス２２の係止部２２Ａが端子金具４０の被係止部４３に乗り上がって上側に弾性変位し、端子金具４０が正規の位置（ジョイント端子１０との接続が確実になされる位置）まで挿入されると、ランス２２が自然状態に復帰して、端子金具４０に係止した状態になる。これにより、端子金具４０がランス２２によって一次係止されて抜け止めされるとともに、端子金具４０の接続部４１にジョイント端子１０の端子部１２が挿入されて、端子金具４０とジョイント端子１０との接続がなされる。
【００３７】
こうして、各コネクタハウジング２０に端子金具４０を挿入した後、２つのジョイントコネクタＣを上下に積層する。すると、上側のコネクタハウジング２０の係止突起２５が、下側のコネクタハウジング２０の貫通穴２６からキャビティ２１内に突出し、下側のコネクタハウジング２０に収容されている端子金具４０に係止する。また、上側のコネクタハウジング２０の位置決め凸部２７Ａが、下側のコネクタハウジング２０の位置決め凹部２７Ｂに挿入されるとともに、下側のコネクタハウジング２０のロック凸部２８Ａが、上側のコネクタハウジング２０のロック凹部２８Ｂに接触することで若干外側に開いた後、弾性復帰してロック凹部２８Ｂに嵌合する。これにより、下側のコネクタハウジング２０に収容された端子金具４０の全てが、ランス２２と係止突起２５とにより、一括して二重係止され、ジョイントコネクタＣが一体に組み付けられてロックされる。
【００３８】
次に、積層状態にロックされたジョイントコネクタＣの上側に、カバー５０を積層する。すると、カバー５０の係止突起５２が、コネクタハウジング２０の貫通穴２６からキャビティ２１内に突出し、そこに挿入されている端子金具４０に係止する。また、カバー５０の位置決め凸部５３が、コネクタハウジング２０の位置決め凹部２７Ｂに挿入されるとともに、コネクタハウジング２０のロック凸部２８Ａが、カバー５０のロック凹部５４に嵌合する。これにより、上側のコネクタハウジング２０に収容された端子金具４０の全てが、ランス２２とカバー５０の係止突起５２とにより一括して二重係止され、ジョイントコネクタＣとカバー５０とが一体に組み付けられてロックされる。こうして、積層された２つのコネクタハウジング２０内のすべての端子金具４０が、ランス２２と係止突起２５，５２とによって二重に係止される。
【００３９】
次に、２つのジョイントコネクタＣとカバー５０とを積層してなる合体コネクタＵを、部品等に取り付ける。部品等のブラケットが、カバー５０の差入部５６に差し入れられるようにして、合体コネクタＵを押し込むと、カバー５０の突起部５９がブラケットの孔部に嵌合し、合体コネクタＵが部品等に固定される。
【００４０】
上記のように構成された本実施形態によれば、以下の効果を奏する。
本実施形態のジョイントコネクタＣにおいては、コネクタハウジング２０は、複数が積層可能とされ、コネクタハウジング２０には、重ねられた他のコネクタハウジング２０のキャビティ２１に突出可能な係止突起２５が設けられるとともに、係止突起２５をキャビティ２１に貫通させる貫通穴２６が形成され、コネクタハウジング２０が積層されると、係止突起２５が貫通穴２６からキャビティ２１に突出して端子金具４０に係止し、この端子金具４０を抜け止めするものである。これにより、端子金具４０は、ランス２２と係止突起２５とによって二重係止されるから、ジョイントコネクタＣの端子保持力を高めることができる。
【００４１】
また、コネクタハウジング２０に積層可能なカバー５０を備え、カバー５０は、係止突起５２と、ワイヤハーネス以外の部品に取り付け可能な取付部５５とを有している。これにより、コネクタハウジング２０にカバー５０を積層することによって、端子金具４０を二重係止することができ、またコネクタハウジング２０をワイヤハーネス以外の部品に取り付けることができる。したがって、複数のコネクタハウジング２０を積層することでその高さ寸法が増し、ワイヤハーネスへの巻き付け固定が困難な場合に有利である。また、ワイヤハーネスの１か所にジョイントコネクタＣが集中すると、ワイヤハーネスの外周面に、全てのジョイントコネクタＣを巻き付けるだけのスペースを確保できない場合があり、このような場合に、複数のジョイントコネクタＣを一括して部品等に固定することができるから有利である。また、ワイヤハーネスの近傍に配される部品等にジョイントコネクタＣを取り付けることにより、ワイヤハーネスから電線Ｗを長く引き出さなくて済む。
【００４２】
＜他の実施形態＞
本発明は上記記述及び図面によって説明した実施形態に限定されるものではなく、例えば次のような実施形態も本発明の技術的範囲に含まれる。
（１）上記実施形態では、複数のジョイントコネクタＣが同一の構成を有する場合について説明したが、これに限らず、ジョイントコネクタを、その積層する位置によって異なる構成としてもよく、例えば、下側に配されるジョイントコネクタのコネクタハウジングには、係止突起２５を設けないものとしてもよい。
（２）上記実施形態では、ジョイントコネクタＣはロック部２８を備えているが、これに限らず、例えば、ジョイントコネクタがロック部を備えないものとしてもよく、位置決め部によって位置決めされたジョイントコネクタを、ワイヤハーネスにテープ巻きすることで、積層状態に固定するものとしてもよい。
（３）上記実施形態では、ジョイントコネクタＣ同士を積層した後に、カバー５０を積層する場合について説明したが、これに限らず、先にカバー５０をジョイントコネクタＣに積層し、その後、ジョイントコネクタＣを積層するものとしてもよい。
（４）上記実施形態では、コネクタハウジング２０の下面に位置決め凸部２７Ａが突設され、コネクタハウジング２０の上面に位置決め凹部２７Ｂが凹設されているが、これらは上下逆に設けられていてもよく、すなわちコネクタハウジングの上面に位置決め凸部が突設され、コネクタハウジングの下面に位置決め凹部が凹設されていてもよい。
（５）上記実施形態では、コネクタハウジング２０の上面にロック凸部２８Ａが突設されているが、これに限らず、コネクタハウジングの下面にロック凸部が突設されていてもよい。
（６）上記実施形態では、２つのジョイントコネクタＣを積層する場合について説明したが、これに限らず、３つ以上のジョイントコネクタＣを積層してもよい。
【００４３】
（７）上記実施形態では、係止突起５２と取付部５５とを有するカバー５０をジョイントコネクタＣに積層しているが、例えば、図９に示すように、カバー５０の代わりに、係止突起５２のみを有して取付部５５を有さないカバー６０を、ジョイントコネクタＣに積層するものとしてもよい。この場合には、ジョイントコネクタＣとカバー６０とを合体させてなる合体コネクタＵ２を、ワイヤハーネスの幹線にテープ巻きして固定すればよく、取付部５５を有するカバー５０をジョイントコネクタＣに積層してなる合体コネクタＵを、ワイヤハーネスの幹線にテープ巻きする場合に比して、合体コネクタＵ２の高さ寸法（積層方向の寸法）を小さくすることができる。
（８）上記実施形態では、係止突起５２と取付部５５とを有するカバー５０をジョイントコネクタＣに積層しているが、例えば、図１０に示すように、カバー５０の代わりに、端子金具４０が挿入されていない（すなわちキャビティ２１が空の）ジョイントコネクタ（ダミーコネクタ７０と称する）を、ジョイントコネクタＣに積層するものとしてもよい。この場合には、ジョイントコネクタＣとダミーコネクタ７０とを合体させてなる合体コネクタＵ３を、ワイヤハーネスの幹線にテープ巻きして固定すればよい。これにより、同一部品のみで合体コネクタＵ３を構成することができるから、カバー５０を積層する場合に比して、部品点数の増加を防ぐことができる。
【符号の説明】
【００４４】
Ｃ…ジョイントコネクタ
１０…ジョイント端子
１２…端子部
２０…コネクタハウジング
２１…キャビティ
２５，５２…係止突起
２６…貫通穴
４０…端子金具（相手側端子金具）
５０…カバー
５５…取付部
【図１】
2013093226.tif 000003
【図２】
2013093226.tif 000004
【図３】
2013093226.tif 000005
【図４】
2013093226.tif 000006
【図５】
2013093226.tif 000007
【図６】
2013093226.tif 000008
【図７】
2013093226.tif 000009
【図８】
2013093226.tif 000010
【図９】
2013093226.tif 000011
【図１０】
2013093226.tif 000012